【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
ユニット建物の外壁及び屋根の種類、及び間取りの情報を含む建物情報を入力する入力手段と、 複数のユニット建物の構造データを含む建物の構造データ、該建物の構造データに結び付けられ互いに異なる仕様が予め設定された複数のユニット建物の画像を示す建物画像データ、地震波の加速度情報を含む地震波データ、及び前記建物の構造データと前記地震波データとに基づいて地震時の建物の変形をシミュレーションするシミュレーションプログラムのデータがそれぞれ格納された格納手段と、 該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、 該評価手段により作成された前記提示情報を表示画面により表示する出力手段と、を備え、 前記評価手段は、 前記入力手段による前記建物情報の入力が行われる旨の指示を受けたとき、 前記建物画像データを前記格納手段から読み込み、該建物画像データが示す各ユニット建物の画像をそれぞれ前記表示画面に表示させて、 該表示画面に表示された各ユニット建物の画像のいずれかが前記建物情報として前記入力手段により選択されたとき、 該ユニット建物のユニットの構成を設定するためのユニット構成設定手段を前記表示画面に表示させて、 該ユニット構成設定手段に表示された前記ユニットの仕様及び配置を示す画像を前記入力手段によって選択することにより前記ユニット建物のユニットの構成をユニット単位で設定可能とし、 前記ユニットの仕様及び配置の情報が前記ユニット構成設定手段により設定され、該ユニット構成設定手段による入力が完了した旨の指示を受けたとき、 該ユニットの仕様及び配置の情報を前記建物情報として取得し、該建物情報に結び付けられた建物の構造データを前記格納手段から抽出して、 前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、 該構築された仮想ユニット建物及び他の仮想建物にそれぞれ前記地震波データが示す地震波が与えられたと想定したときの前記仮想ユニット建物及び他の仮想建物の変形状況をそれぞれ解析して、 該解析された仮想ユニット建物及び他の仮想建物それぞれの変形状況に基づいて該仮想ユニット建物及び他の仮想建物の各画像を前記表示画面にそれぞれ並べてアニメーションとして表示させることを特徴とする耐震性能提示システム。
【請求項２】
ユニット建物の外壁及び屋根の種類、及び間取りの情報を含む建物情報を入力する入力手段と、 複数のユニット建物の構造データを含む建物の構造データ、該建物の構造データに結び付けられ互いに異なる仕様が予め設定された複数のユニット建物の画像を示す建物画像データ、過去に発生した複数の地震の地震名が発生地域に付された地図画像データ及び、それらの地震の地震波の加速度情報を含む地震波データ、該地震波データに対応する地震波毎に結び付けられた地震名のデータ、及び前記建物の構造データと前記地震波データとに基づいて地震時の建物の変形をシミュレーションするシミュレーションプログラムのデータがそれぞれ格納された格納手段と、 該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、 該評価手段により作成された前記提示情報を表示画面により表示する出力手段と、を備え、 前記評価手段は、 前記入力手段による前記建物情報の入力が行われる旨の指示を受けたとき、 前記建物画像データを前記格納手段から読み込み、該建物画像データが示す各ユニット建物の画像をそれぞれ前記表示画面に表示させて、 該表示画面に表示された各ユニット建物の画像のいずれかが前記建物情報として前記入力手段により選択されたとき、 該ユニット建物のユニットの構成を設定するためのユニット構成設定手段を前記表示画面に表示させて、 該ユニット構成設定手段に表示された前記ユニットの仕様及び配置を示す画像を前記入力手段によって選択することにより前記ユニット建物のユニットの構成をユニット単位で設定可能とし、 前記ユニットの仕様及び配置の情報が前記ユニット構成設定手段により設定され、該ユニット構成設定手段による入力が完了した旨の指示を受けたとき、 該ユニットの仕様及び配置の情報を前記建物情報として取得し、該建物情報に結び付けられた建物の構造データを前記格納手段から抽出して、 前記入力手段により前記建物の変形状況の解析に用いる前記地震波データを選択する旨の指示を受けたとき、 前記地図画像データを前記格納手段から読み込み、前記各地震名がそれぞれ発生地域に付された地図画像を前記表示画面に表示させて、 該表示画面に表示された各地震名のいずれかが解析に用いるべく前記入力手段により選択されたとき、 該選択された地震名に結び付けられた地震波データを前記格納手段から抽出して、 前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、 該構築された仮想ユニット建物及び他の仮想建物にそれぞれ前記選択された地震名に結び付けられた地震波データが示す地震波が与えられたと���定したときの前記仮想ユニット建物及び他の仮想建物の変形状況をそれぞれ解析して、 該解析された仮想ユニット建物及び他の仮想建物それぞれの変形状況に基づいて該仮想ユニット建物及び他の仮想建物の各画像を前記表示画面にそれぞれ並べてアニメーションとして表示させることを特徴とする耐震性能提示システム。
【請求項３】
ユニット建物の外壁及び屋根の種類、間取りの情報を含む建物情報、及び前記ユニット建物の住所の情報を入力する入力手段と、 複数のユニット建物の構造データを含む建物の構造データ、該建物の構造データに結び付けられ互いに異なる仕様が予め設定された複数のユニット建物の画像を示す建物画像データ、過去に発生した複数の地震の地震名が発生地域に付された地図画像データ及び、それらの地震の地震波の加速度情報を含む地震波データ、該地震波データに対応する地震波毎に結び付けられた地震名のデータ、及び前記建物の構造データと前記地震波データとに基づいて地震時の建物の変形をシミュレーションするシミュレーションプログラムのデータがそれぞれ格納された格納手段と、 該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、 該評価手段により作成された前記提示情報を表示画面により表示する出力手段と、を備え、 前記評価手段は、 前記入力手段による前記建物情報の入力が行われる旨の指示を受けたとき、 前記建物画像データを前記格納手段から読み込み、該建物画像データが示す各ユニット建物の画像をそれぞれ前記表示画面に表示させて、 該表示画面に表示された各ユニット建物の画像のいずれかが前記建物情報として前記入力手段により選択されたとき、 該ユニット建物のユニットの構成を設定するためのユニット構成設定手段を前記表示画面に表示させて、 該ユニット構成設定手段に表示された前記ユニットの仕様及び配置を示す画像を前記入力手段によって選択することにより前記ユニット建物のユニットの構成をユニット単位で設定可能とし、 前記ユニットの仕様及び配置の情報が前記ユニット構成設定手段により設定され、該ユニット構成設定手段による入力が完了した旨の指示を受けたとき、 該ユニットの仕様及び配置の情報を前記建物情報として取得し、該建物情報に結び付けられた建物の構造データを前記格納手段から抽出して、 前記入力手段により前記建物の変形状況の解析に用いる前記地震波データを選択する旨の指示を受けたとき、 前記地図画像データを前記格納手段から読み込み、前記各地震名がそれぞれ発生地域に付された地図画像を前記表示画面に表示させて、 該表示画面には前記各地震の地震名が表示可能とされ、初期状態では前記地図画像に付された各地震名のうち前記住所に震源が最も近い地震の地震名を表示させ、該地震名を前記入力手段によって選択することにより該地震名を選択可能とし、 前記住所に震源が最も近い地震とは別の地震の地震名を選択する場合には、前記表示可能な各地震の地震名の中から所望の地震名を選択可能とすることにより、前記初期状態で表示画面に表示された地震名とは別の地震名を選択可能とし、 該表示画面に表示された各地震名のいずれかが解析に用いるべく前記入力手段により選択された��き、 該選択された地震名に結び付けられた地震波データを前記格納手段から抽出して、 前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、 該構築された仮想ユニット建物及び他の仮想建物にそれぞれ前記選択された地震名に結び付けられた地震波データが示す地震波が与えられたと想定したときの前記仮想ユニット建物及び他の仮想建物の変形状況をそれぞれ解析して、 該解析された仮想ユニット建物及び他の仮想建物それぞれの変形状況に基づいて該仮想ユニット建物及び他の仮想建物の各画像を前記表示画面にそれぞれ並べてアニメーションとして表示させることを特徴とする耐震性能提示システム。
【請求項４】
ユニット建物の方位、外壁及び屋根の種類、間取りの情報を含む建物情報、及び前記ユニット建物の住所の情報を入力する入力手段と、 複数のユニット建物の構造データを含む建物の構造データ、該建物の構造データに結び付けられ互いに異なる仕様が予め設定された複数のユニット建物の画像を示す建物画像データ、過去に発生した複数の地震の地震名が発生地域に付された地図画像データ及び、それらの地震の地震波の加速度情報を含む東西方向及び南北方向の２方向に対応する地震波データ、該地震波データに対応する地震波毎に結び付けられた地震名のデータ、及び前記建物の構造データと前記地震波データとに基づいて地震時の建物の変形をシミュレーションするシミュレーションプログラムのデータがそれぞれ格納された格納手段と、 該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、 該評価手段により作成された前記提示情報を表示画面により表示する出力手段と、を備え、 前記評価手段は、 前記入力手段による前記建物情報の入力が行われる旨の指示を受けたとき、 前記建物画像データを前記格納手段から読み込み、該建物画像データが示す各ユニット建物の画像をそれぞれ前記表示画面に表示させて、 該表示画面に表示された各ユニット建物の画像のいずれかが前記建物情報として前記入力手段により選択されたとき、 該ユニット建物のユニットの構成を設定するためのユニット構成設定手段を前記表示画面に表示させて、 該ユニット構成設定手段に表示された前記ユニットの仕様及び配置を示す画像を前記入力手段によって選択することにより前記ユニット建物のユニットの構成をユニット単位で設定可能とし、 前記ユニットの仕様及び配置の情報が前記ユニット構成設定手段により設定され、該ユニット構成設定手段による入力が完了した旨の指示を受けたとき、 該ユニットの仕様及び配置の情報を前記建物情報として取得し、該建物情報に結び付けられた建物の構造データを前記格納手段から抽出して、 前記入力手段により前記建物の変形状況の解析に用いる前記地震波データを選択する旨の指示を受けたとき、 前記地図画像データを前記格納手段から読み込み、前記各地震名がそれぞれ発生地域に付された地図画像を前記表示画面に表示させて、 該表示画面には前記各地震の地震名が表示可能とされ、初期状態では前記地図画像に付された各地震名のうち前記住所に震源が最も近い地震の地震名を表示させ、該地震名を前記入力手段によって選択することにより該地震名を選択可能とし、 前記住所に震源が最も近い地震とは別の地震の地震名を選択する場合には、前記表示可能な各地震の地震名の中から所望の地震名を選択可能とすることにより、前記初期状態で表示画面に表示された地震名とは別の地震名を選択可能とし、 該表示画面に表示された各地震名のいずれかが��析に用いるべく前記入力手段により選択されたとき、 該選択された地震名に結び付けられた地震波データを前記格納手段から抽出して、 前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、 該構築された仮想ユニット建物及び他の仮想建物にそれぞれ前記選択された地震名に結び付けられた地震波データが示す東西方向及び南北方向の２方向の地震波が与えられたと想定したときの前記仮想ユニット建物及び他の仮想建物の変形状況を前記ユニット建物の方位のデータに基づいてそれぞれ解析して、 該解析された仮想ユニット建物及び他の仮想建物それぞれの変形状況に基づいて該仮想ユニット建物及び他の仮想建物の各画像を前記表示画面にそれぞれ並べて３次元的アニメーションとして表示させることを特徴とする耐震性能提示システム。
【手続補正２】
【補正対象書類名】明細書
【補正対象項目名】発明の名称
【補正方法】変更
【補正の内容】
【発明の名称】耐震性能提示システム
【手続補正３】
【補正対象書類名】明細書
【補正対象項目名】０００１
【補正方法】変更
【補正の内容】
【０００１】  本発明は、例えば住宅のような建物の耐震性能を例えばコンピュータにより顧客に提示するための耐震性能提示システムに関する。
【手続補正４】
【補正対象書類名】明細書
【補正対象項目名】０００５
【補正方法】変更
【補正の内容】
【０００５】  そこで、本発明の目的は、建物の耐震性能を評価した結果を顧客に容易に提示することができる耐震性能提示システムを提供することにある。
【手続補正５】
【補正対象書類名】明細書
【補正対象項目名】０００６
【補正方法】変更
【補正の内容】
【０００６】  上記課題を解決するために、請求項１に記載の発明は、ユニット建物の外壁及び屋根の種類、及び間取りの情報を含む建物情報を入力する入力手段と、複数のユニット建物の構造データを含む建物の構造データ、該建物の構造データに結び付けられ互いに異なる仕様が予め設定された複数のユニット建物の画像を示す建物画像データ、地震波の加速度情報を含む地震波データ、及び前記建物の構造データと前記地震波データとに基づいて地震時の建物の変形をシミュレーションするシミュレーションプログラムのデータがそれぞれ格納された格納手段と、該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、該評価手段により作成された前記提示情報を表示画面により表示する出力手段と、を備え、前記評価手段は、前記入力手段による前記建物情報の入力が行われる旨の指示を受けたとき、前記建物画像データを前記格納手段から読み込み、該建物画像データが示す各ユニット建物の画像をそれぞれ前記表示画面に表示させて、該表示画面に表示された各ユニット建物の画像のいずれかが前記建物情報として前記入力手段により選択されたとき、該ユニット建物のユニットの構成を設定するためのユニット構成設定手段を前記表示画面に表示させて、該ユニット構成設定手段に表示された前記ユニットの仕様及び配置を示す画像を前記入力手段によって選択することにより前記ユニット建物のユニットの構成をユニット単位で設定可能とし、前記ユニットの仕様及び配置の情報が前記ユニット構成設定手段により設定され、該ユニット構成設定手段による入力が完了した旨の指示を受けたとき、該ユニットの仕様及び配置の情報を前記建物情報として取得し、該建物情報に結び付けられた建物の構造データを前記格納手段から抽出して、前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、該構築された仮想ユニット建物及び他の仮想建物にそれぞれ前記地震波データが示す地震波が与えられたと想定したときの前記仮想ユニット建物及び他の仮想建物の変形状況をそれぞれ解析して、該解析された仮想ユニット建物及び他の仮想建物それぞれの変形状況に基づいて該仮想ユニット建物及び他の仮想建物の各画像を前記表示画面にそれぞれ並べてアニメーションとして表示させる耐震性能提示システムを特徴としている。
【手続補正６】
【補正対象書類名】明細書
【補正対象項目名】０００７
【補正方法】変更
【補正の内容】
【０００７】  請求項２に記載の発明は、ユニット建物の外壁及び屋根の種類、及び間取りの情報を含む建物情報を入力する入力手段と、複数のユニット建物の構造データを含む建物の構造データ、該建物の構造データに結び付けられ互いに異なる仕様が予め設定された複数のユニット建物の画像を示す建物画像データ、過去に発生した複数の地震の地震名が発生地域に付された地図画像データ及び、それらの地震の地震波の加速度情報を含む地震波データ、該地震波データに対応する地震波毎に結び付けられた地震名のデータ、及び前記建物の構造データと前記地震波データとに基づいて地震時の建物の変形をシミュレーションするシミュレーションプログラムのデータがそれぞれ格納された格納手段と、該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、該評価手段により作成された前記提示情報を表示画面により表示する出力手段と、を備え、前記評価手段は、前記入力手段による前記建物情報の入力が行われる旨の指示を受けたとき、前記建物画像データを前記格納手段から読み込み、該建物画像データが示す各ユニット建物の画像をそれぞれ前記表示画面に表示させて、該表示画面に表示された各ユニット建物の画像のいずれかが前記建物情報として前記入力手段により選択されたとき、該ユニット建物のユニットの構成を設定するためのユニット構成設定手段を前記表示画面に表示させて、該ユニット構成設定手段に表示された前記ユニットの仕様及び配置を示す画像を前記入力手段によって選択することにより前記ユニット建物のユニットの構成をユニット単位で設定可能とし、前記ユニットの仕様及び配置の情報が前記ユニット構成設定手段により設定され、該ユニット構成設定手段による入力が完了した旨の指示を受けたとき、該ユニットの仕様及び配置の情報を前記建物情報として取得し、該建物情報に結び付けられた建物の構造データを前記格納手段から抽出して、前記入力手段により前記建物の変形状況の解析に用いる前記地震波データを選択する旨の指示を受けたとき、前記地図画像データを前記格納手段から読み込み、前記各地震名がそれぞれ発生地域に付された地図画像を前記表示画面に表示させて、該表示画面に表示された各地震名のいずれかが解析に用いるべく前記入力手段により選択されたとき、該選択された地震名に結び付けられた地震波データを前記格納手段から抽出して、前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、該構築された仮想ユニット建物及び他の仮想建物にそれぞれ前記選択された地震名に結び付けられた地震波データ���示す地震波が与えられたと想定したときの前記仮想ユニット建物及び他の仮想建物の変形状況をそれぞれ解析して、該解析された仮想ユニット建物及び他の仮想建物それぞれの変形状況に基づいて該仮想ユニット建物及び他の仮想建物の各画像を前記表示画面にそれぞれ並べてアニメーションとして表示させる耐震性能提示システムを特徴としている。
【手続補正７】
【補正対象書類名】明細書
【補正対象項目名】０００８
【補正方法】変更
【補正の内容】
【０００８】  請求項３に記載の発明は、ユニット建物の外壁及び屋根の種類、間取りの情報を含む建物情報、及び前記ユニット建物の住所の情報を入力する入力手段と、複数のユニット建物の構造データを含む建物の構造データ、該建物の構造データに結び付けられ互いに異なる仕様が予め設定された複数のユニット建物の画像を示す建物画像データ、過去に発生した複数の地震の地震名が発生地域に付された地図画像データ及び、それらの地震の地震波の加速度情報を含む地震波データ、該地震波データに対応する地震波毎に結び付けられた地震名のデータ、及び前記建物の構造データと前記地震波データとに基づいて地震時の建物の変形をシミュレーションするシミュレーションプログラムのデータがそれぞれ格納された格納手段と、該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、該評価手段により作成された前記提示情報を表示画面により表示する出力手段と、を備え、前記評価手段は、前記入力手段による前記建物情報の入力が行われる旨の指示を受けたとき、前記建物画像データを前記格納手段から読み込み、該建物画像データが示す各ユニット建物の画像をそれぞれ前記表示画面に表示させて、該表示画面に表示された各ユニット建物の画像のいずれかが前記建物情報として前記入力手段により選択されたとき、該ユニット建物のユニットの構成を設定するためのユニット構成設定手段を前記表示画面に表示させて、該ユニット構成設定手段に表示された前記ユニットの仕様及び配置を示す画像を前記入力手段によって選択することにより前記ユニット建物のユニットの構成をユニット単位で設定可能とし、前記ユニットの仕様及び配置の情報が前記ユニット構成設定手段により設定され、該ユニット構成設定手段による入力が完了した旨の指示を受けたとき、該ユニットの仕様及び配置の情報を前記建物情報として取得し、該建物情報に結び付けられた建物の構造データを前記格納手段から抽出して、前記入力手段により前記建物の変形状況の解析に用いる前記地震波データを選択する旨の指示を受けたとき、前記地図画像データを前記格納手段から読み込み、前記各地震名がそれぞれ発生地域に付された地図画像を前記表示画面に表示させて、該表示画面には前記各地震の地震名が表示可能とされ、初期状態では前記地図画像に付された各地震名のうち前記住所に震源が最も近い地震の地震名を表示させ、該地震名を前記入力手段によって選択することにより該地震名を選択可能とし、前記住所に震源が最も近い地震とは別の地震の地震名を選択する場合には、前記表示可能な各地震の地震名の中から所望の地震名を選択可能とすることにより、前記初期状態で表示画面に表示された地震名とは別の地震名を選択可能とし、該表示画面に表示された各地震名のいずれかが解析に用いるべく前���入力手段により選択されたとき、該選択された地震名に結び付けられた地震波データを前記格納手段から抽出して、前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、該構築された仮想ユニット建物及び他の仮想建物にそれぞれ前記選択された地震名に結び付けられた地震波データが示す地震波が与えられたと想定したときの前記仮想ユニット建物及び他の仮想建物の変形状況をそれぞれ解析して、該解析された仮想ユニット建物及び他の仮想建物それぞれの変形状況に基づいて該仮想ユニット建物及び他の仮想建物の各画像を前記表示画面にそれぞれ並べてアニメーションとして表示させる耐震性能提示システムを特徴としている。
【手続補正８】
【補正対象書類名】明細書
【補正対象項目名】０００９
【補正方法】変更
【補正の内容】
【０００９】  請求項４に記載の発明は、ユニット建物の方位、外壁及び屋根の種類、間取りの情報を含む建物情報、及び前記ユニット建物の住所の情報を入力する入力手段と、複数のユニット建物の構造データを含む建物の構造データ、該建物の構造データに結び付けられ互いに異なる仕様が予め設定された複数のユニット建物の画像を示す建物画像データ、過去に発生した複数の地震の地震名が発生地域に付された地図画像データ及び、それらの地震の地震波の加速度情報を含む東西方向及び南北方向の２方向に対応する地震波データ、該地震波データに対応する地震波毎に結び付けられた地震名のデータ、及び前記建物の構造データと前記地震波データとに基づいて地震時の建物の変形をシミュレーションするシミュレーションプログラムのデータがそれぞれ格納された格納手段と、該格納手段に格納された前記建物の構造データのうち前記入力手段により入力された建物情報に対応する建物の構造データを前記格納手段から抽出し、該抽出した建物の構造データと前記格納手段に格納された地震波データとに基づいて該地震波データに含まれる加速度情報が示す加速度が与えられた時の建物の変形状況を前記シミュレーションプログラム及びそれを実行する実行回路により解析すると共にその解析結果を提示するための提示情報を作成する評価手段と、該評価手段により作成された前記提示情報を表示画面により表示する出力手段と、を備え、前記評価手段は、前記入力手段による前記建物情報の入力が行われる旨の指示を受けたとき、前記建物画像データを前記格納手段から読み込み、該建物画像データが示す各ユニット建物の画像をそれぞれ前記表示画面に表示させて、該表示画面に表示された各ユニット建物の画像のいずれかが前記建物情報として前記入力手段により選択されたとき、該ユニット建物のユニットの構成を設定するためのユニット構成設定手段を前記表示画面に表示させて、該ユニット構成設定手段に表示された前記ユニットの仕様及び配置を示す画像を前記入力手段によって選択することにより前記ユニット建物のユニットの構成をユニット単位で設定可能とし、前記ユニットの仕様及び配置の情報が前記ユニット構成設定手段により設定され、該ユニット構成設定手段による入力が完了した旨の指示を受けたとき、該ユニットの仕様及び配置の情報を前記建物情報として取得し、該建物情報に結び付けられた建物の構造データを前記格納手段から抽出して、前記入力手段により前記建物の変形状況の解析に用いる前記地震波データを選択する旨の指示を受けたとき、前記地図画像データを前記格納手段から読み込み、前記各地震名がそれぞれ発生地域に付された地図画像を前記表示画面に表示させて、該表示画面には前記各地震の地震名が表示可能とされ、初期状態では前記地図画像に付された各地震名のうち前記住所に震源が最も近い地震の地震名を表示させ、該地震名を前記入力手段によって選択することにより該地震名を選択可能とし、前記住所に震源が最も近い地震とは別の地震の地震名を選択する場合には、前記表示可能な各地震の地震名の中から所望の地震名を選択可能とすることにより、前記初期状態で表示画面に表示された地震名とは別の地震名を選択可能とし、該表示画面に表示���れた各地震名のいずれかが解析に用いるべく前記入力手段により選択されたとき、該選択された地震名に結び付けられた地震波データを前記格納手段から抽出して、前記建物の変形状況の解析を行う際に、前記建物情報に結び付けられたユニット建物の構造データに対応する構造を有する仮想ユニット建物、及び該仮想ユニット建物とは異なる建物情報が設定されて該異なる建物情報に対応した建物の構造を有する他の仮想建物をそれぞれ構築し、該構築された仮想ユニット建物及び他の仮想建物にそれぞれ前記選択された地震名に結び付けられた地震波データが示す東西方向及び南北方向の２方向の地震波が与えられたと想定したときの前記仮想ユニット建物及び他の仮想建物の変形状況を前記ユニット建物の方位のデータに基づいてそれぞれ解析して、該解析された仮想ユニット建物及び他の仮想建物それぞれの変形状況に基づいて該仮想ユニット建物及び他の仮想建物の各画像を前記表示画面にそれぞれ並べて３次元的アニメーションとして表示させる耐震性能提示システムを特徴としている。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】  請求項１〜請求項４に記載の発明によれば、評価手段により評価され、出力手段により出力された建物の耐震性能の結果を提示することから、例えば耐震性能を考慮して建物を建築する計画を立てる場合又は既存の建物の耐震性能を調べる場合に、評価手段で評価された建物の耐震性能を提示手段によって顧客にその場で容易に提示することができる。
【手続補正１２】
【補正対象書類名】明細書
【補正対象項目名】００１３
【補正方法】変更
【補正の内容】
【００１３】 そして、入力手段により入力された建物の建築地の地理情報に基づいて建築地の地盤が評価手段により診断され、その地盤診断結果が提示手段により提示されることから、建物の耐震性能に加え、建物の建築地の地盤診断結果を顧客にその場で容易に提示することができる。これにより、例えば建物を建築する予定がある場合、建物の耐震性能の観点からだけでなく、建築予定地の地盤状況の観点から建築計画を立てることができる。
【手続補正１３】
【補正対象書類名】明細書
【補正対象項目名】００１４
【補正方法】変更
【補正の内容】
【００１４】 また、提示手段が、建物の変形状況に基づき、建物が建築される地盤の補強工事及び建物の構造の改善のための対策を提示し、更に、対策実施後の建物の耐震性能を提示することから、提示手段による提示により、例えば耐震性能を考慮して建物を建築する計画を立てる場合には、建築計画をより容易に立てることができ、また、既存の建物の耐震性能を調べる場合には、今後の耐震対策をより容易に検討することができる。
【手続補正１４】
【補正対象書類名】明細書
【補正対象項目名】００１５
【補正方法】変更
【補正の内容】
【００１５】 さらに、建物情報を入力し、入力された建物情報に対応するデータを構造データから抽出し、抽出したデータに基づき地震時の建物の変形状況を地震波データを用いて解析することにより建物の耐震性能を評価し、その評価結果を出力し、出力された建物の耐震性能の結果を提示することにより、例えば耐震性能を考慮して建物を建築する計画を立てる場合又は既存の建物の耐震性能を調べる場合に、評価手段で評価された建物の耐震性能を提示手段によって顧客にその場で容易に提示することができる。
【手続補正１５】
【補正対象書類名】明細書
【補正対象項目名】００１６
【補正方法】変更
【補正の内容】
【００１６】 そして、建物情報に加え、建物の建築地の地理情報を入力し、地盤データから地理情報に対応するデータを抽出し、該データに基づき地盤診断を行い、地盤診断結果を出力し、出力された地盤診断結果を提示することにより、例えば耐震性能を考慮して建物を建築する計画を立てる場合又は既存の建物の耐震性能を調べる場合に、評価手段で評価された建物の耐震性能に加え、評価手段で診断された建物の建築地の地盤診断結果を提示手段によって顧客にその場で容易に提示することができる。
【手続補正１６】
【補正対象書類名】明細書
【補正対象項目名】００１７
【補正方法】変更
【補正の内容】
【００１７】 また、建物の前記変形状況に基づき、建物が建築される地盤の補強工事及び建物の構造の改善の対策を提示し、更に、対策実施後の建物の耐震性能を提示することができる。
【手続補正１７】
【補正対象書類名】明細書
【補正対象項目名】００５７
【補正方法】変更
【補正の内容】
【００５７】１０          耐震性能提示システム１４          入力手段１５          格納手段１６          評価手段１７ 出力手段２５ ウインドウ（ユニット構成設定手段）Ｄ１          構造データＤ３          地震波データＰ シミュレーションプログラム